(57)【要約】【課題】原稿の取り忘れを確実に防ぐことのできる画像形成装置を提供する。【解決手段】画像形成装置は、原稿がセットされる原稿台と、前記原稿台上の原稿の有無を検知する検知手段１８と、前記原稿台にセットされた原稿の画像を読み取る原稿読取部３と、読み取られた画像に基づいて画像を形成する画像形成部２と、前記原稿読取部３での画像読み取り後に前記検知手段１８が原稿無しを検知するまで、前記画像形成部２を動作させない制御部６と、を備えている。【選択図】図4
2018142877.tif 000002
【特許請求の範囲】
【請求項１】
原稿がセットされる原稿台と、
前記原稿台上の原稿の有無を検知する検知手段と、
前記原稿台にセットされた原稿の画像を読み取る原稿読取部と、
読み取られた画像に基づいて画像を形成する画像形成部と、
前記原稿読取部での画像読み取り後に前記検知手段が原稿無しを検知するまで、前記画像形成部を動作させない制御部と、を備えていることを特徴とする画像形成装置。
【請求項２】
前記原稿読取部での画像読み取り後に前記検知手段が原稿無しを検知しない場合に、原稿の取り出しを促す表示部を備えていることを特徴とする請求項１に記載の画像形成装置。
【請求項３】
前記原稿台に原稿を押圧する押圧位置と該原稿台から離間した開放位置との間を移動可能な押圧板を備え、
前記原稿読取部での画像読み取り後に前記検知手段が原稿無しを検知しない場合に、前記押圧板を前記開放位置に移動させることを特徴とする請求項１又は２に記載の画像形成装置。
【発明の詳細な説明】
【技術分野】
【０００１】
本発明は、原稿がセットされる原稿台を備える画像形成装置に関する。
【背景技術】
【０００２】
画像形成装置において複写作業を行う際は、押圧板を開いて原稿台に原稿をセットし、押圧板を閉じて原稿台に原稿を押圧した後、スタートボタンを押すと、画像の読取動作及び読み取られた画像に基づいた画像形成動作が行われる。この複写作業においては、画像形成動作が終了して、画像が形成された用紙を取り出した後、原稿台から原稿を取り忘れる事態が生じやすい。
【０００３】
このような原稿の取り忘れを防止するために、特許文献１に記載されている画像形成装置では、画像形成装置の近傍にユーザーがいることが検知されると、原稿圧板（押圧板）が自動的に開かれるようになっている。また、特許文献２に記載されている画像形成装置では、原稿の読取動作が終了した後、圧板部（押圧板）が自動的に開かれるようになっている。
【先行技術文献】
【特許文献】
【０００４】
【特許文献１】特開平６−３５０８４号公報
【特許文献２】特開２０１１−２２３９３号公報
【発明の概要】
【発明が解決しようとする課題】
【０００５】
しかしながら上記特許文献１や特許文献２に記載の画像形成装置のように押圧板が自動的に開くのみでは、原稿の取り忘れを完全に防ぐことは困難である。
【０００６】
そこで、本発明は上記事情を考慮し、原稿の取り忘れを確実に防ぐことのできる画像形成装置を提供することを目的とする。
【課題を解決するための手段】
【０００７】
上記目的を達成するため、本発明の画像形成装置は、原稿がセットされる原稿台と、前記原稿台上の原稿の有無を検知する検知手段と、前記原稿台にセットされた原稿の画像を読み取る原稿読取部と、読み取られた画像に基づいて画像を形成する画像形成部と、前記原稿読取部での画像読み取り後に前記検知手段が原稿無しを検知するまで、前記画像形成部を動作させない制御部と、を備えていることを特徴とする。
【０００８】
本発明の画像形成装置において、前記原稿読取部での画像読み取り後に前記検知手段が原稿無しを検知しない場合に、原稿取り出しを促す表示部を備えていることを特徴としても良い。
【０００９】
本発明の原稿形成装置において、前記原稿台に原稿を押圧する押圧位置と該原稿台から離間した開放位置との間を移動可能な押圧板を備え、前記原稿読取部での画像読み取り後に前記検知手段が原稿無しを検知しない場合に、前記押圧板を前記開放位置に移動させることを特徴としても良い。
【発明の効果】
【００１０】
本発明によれば、原稿の読み取り後に原稿台から原稿を取り出さない限り、画像形成動作が実行されないので、原稿を忘れずに取り出すことができる。
【図面の簡単な説明】
【００１１】
【図１】本発明の一実施形態に係る画像形成装置において、押圧板を押圧位置に回動した状態を示す斜視図である。
【図２】本発明の一実施形態に係る画像形成装置において、押圧板を開放位置に回動した状態を示す斜視図である。
【図３】本発明の一実施形態に係る画像形成装置において、原稿検知センサーを示す正面図である。
【図４】本発明の一実施形態に係る画像形成装置において、制御部のブロック図である。
【図５】本発明の一実施形態に係る画像形成装置において、複写動作を示すフローチャートである。
【発明を実施するための形態】
【００１２】
以下、図面を参照しつつ、本発明の一実施形態に係る画像形成装置について説明する。
【００１３】
まず、図１〜図４を用いて、画像形成装置の全体の構成について説明する。図１は、押圧板がセット位置に回動した画像形成装置を示す斜視図、図２は、押圧板が開放位置に回動した画像形成装置を示す斜視図、図３は原稿検知センサーを示す正面図、図４は制御部のブロック図である。各図のＦｒ、Ｒｒ、Ｆ及びＲは、それぞれ前方向、後方向、左方向及び右方向を示す。
【００１４】
画像形成装置１は、図１及び図２に示されるように、上部に設けられる原稿読取部３と、下部に設けられる画像形成部４と、原稿読取部３の原稿読取動作と画像形成部４の画像形成動作に関する情報を入力する操作パネル５と、原稿読取動作と画像形成動作とを実行させる制御部６と、を備えている。
【００１５】
原稿読取部３は、原稿を自動的に搬送する搬送部１１と、搬送部１１の下方に設けられて、搬送される原稿の画像を読み取る読取部１２と、を備えている。搬送部１１は、読取部１２の後部に上下方向に回動可能（移動可能）に支持されている。搬送部１１の下面には、押圧板１４が設けられている。読取部１２の上面には、原稿台１６が設けられている。搬送部１１は、押圧板１４が原稿を原稿台１６に押圧するセット位置（図１参照）と、押圧板１４が原稿台１６から上方に離間する開放位置と（図２参照）、の間を上下方向に回動する。
【００１６】
図３に示されるように、原稿台１６の下方には、検知手段としての原稿検知センサー１８が備えられている。原稿検知センサー１８は、例えば、発光部１８ａと受光部１８ｂとを有する反射型の光センサーである。原稿検知センサー１８は、原稿台１６上にセットされた原稿Ｄの有無を検知する。
【００１７】
画像形成部４は、原稿読取部３で読み取られた画像に基づいて用紙に画像を形成する。
【００１８】
操作パネル５は、メッセージを表示可能な表示部５ａを有している。
【００１９】
制御部６は、図４に示されるように、原稿読取部３に電気的に接続して原稿読取動作を実行させ、画像形成部４と電気的に接続して画像形成動作を実行させる。また、制御部６には、原稿検知センサー１８の検知結果が入力される。
【００２０】
上記構成を有する画像形成装置１における複写作業を行う制御について、図５のフローチャートを参照して説明する。
【００２１】
まず、ユーザーが、ステップＳ１において、原稿読取部３の搬送部１１を開放位置に回動させて（図２参照）、原稿台１６上に原稿をセットした後、ステップＳ２において、搬送部１１をセット位置に回動させて（図１参照）、押圧板１４によって原稿を原稿台１６に押圧させる。すると、ステップＳ３において、原稿検知センサー１８は原稿有りを検出し、次に、ステップＳ４に進む。
【００２２】
ステップＳ４では、ユーザーが、操作パネル５のスタートボタンを押すと、制御部６は原稿読取部３を制御して、セットされた原稿の画像読取動作を実行し、ステップＳ５に進む。ステップＳ５では、制御部６が、画像読取動作終了後所定時間経過したかどうかを判定する。その結果、制御部６が所定時間経過したことを判定すると、次のステップＳ６に進む。
【００２３】
ステップＳ６では、制御部６が、原稿検知センサー１８が原稿無しを検知したかどうかを判定する。つまり、搬送部１１が開放位置に回動されて、原稿が原稿台１６から取り出されたかどうかを判定する。
【００２４】
その結果、原稿検知センサー１８が原稿無しを検知する（原稿が取り出されたことを検知する）と、ステップＳ７に進み、制御部６が、画像形成部４に、原稿読取部３で読み取られた画像に基づいた画像形成動作を実行させる。
【００２５】
一方、ステップＳ６において、原稿検知センサー１８が原稿無しを検知しない場合（原稿が取り出されたことが検知されない場合）は、画像形成動作が実行されない状態が継続されることになる。そこで、ステップＳ８に進み、制御部６が、画像形成動作が実行されない状態が所定の時間継続したかどうかを判定する。その結果、制御部６が、所定時間継続されたことを判定すると、次に、ステップＳ９に進む。
【００２６】
ステップＳ９では、制御部６が、操作パネル５の表示部５ａに、「原稿を取り出してください」等の、原稿を取り出すことを促すメッセージを表示させる。ユーザーがこのメッセージを確認して、搬送部１１を開放位置に回動させて原稿を取り出すと、ステップＳ６において、原稿検知センサー１８が原稿無しを検知する。その後、ステップＳ７に進み、制御部６が、画像形成部４に、原稿読取部３で読み取られた画像に基づいた画像形成動作を実行させる。
【００２７】
上記説明したように、本発明の画像形成装置１によれば、原稿の読み取り後に原稿台１６から原稿を取り出さない限り画像形成動作が実行されないので、ユーザーは原稿の取り出しを促され、原稿取り忘れを防止できる。さらに、操作パネル５に、原稿の取り出しを促すメッセージが表示される。画像形成動作が実行されない場合、ユーザーは異変と感じて操作パネル５を確認するので、操作パネル５にメッセージが出ていれば、原稿を忘れずに取り出すことができる。したがって、原稿の取り忘れをより確実に防止できる。あるいは、ステップＳ９において、操作パネル５にメッセージを表示する代わりに、「原稿を取り出してください」等の音声が操作パネル５から流れても良い。
【００２８】
なお、画像形成動作が実行されない場合、ユーザーが原稿を取り出さないままスタートボタンを再度押すこともあり得るが、この場合も、制御部６は、画像形成部４に画像形成動作を実行させないので、問題は生じない。また、原稿読み取り後に原稿検知センサー１８が原稿無しを検知するまで、制御部６は、原稿読取部３に原稿読取動作を実行させないようにしても良い。
【００２９】
また、搬送部１１を自動的に開放位置へ移動させる機構を備えても良い。この場合、図５のフローチャートにおいて、ステップＳ６で、原稿検知センサーが原稿無しを検知せず、ステップＳ７で、画像形成動作が実行されない状態が所定の時間継続したことが判定された後、搬送部１１を自動的に開放位置へ回動させる。これにより、ユーザーが原稿台１６に原稿が残っていることを視認できるので、原稿の取り忘れを防止できる。
【００３０】
なお、搬送部１１を自動的に開放位置へ回動させる機構としては、例えば、搬送部１１を開放位置へ回動するように付勢するバネと、押圧位置に回動した搬送部１１に係合して該搬送部１１を支持するフックと、フックを搬送部１１と係合する位置と係合解除する位置とに変位させるラッチと、を備えることができる。この場合、ステップＳ７で、画像形成動作が実行されない状態が所定の時間継続したことが判定された後、制御部６がラッチを制御して、フックを係合解除位置に変位させると、搬送部はバネによって開放位置へ回動するように付勢される。
【００３１】
本実施形態では、押圧板１４が設けられた搬送部１１を読取部１２に対して回動させて、原稿を原稿台にセットする画像形成装置１について説明したが、本発明は、搬送部１１を備えず、押圧板１４のみが読取部１２に対して回動する構成の画像形成装置にも適用できる。
【００３２】
上記した本発明の実施形態の説明は、本発明に係る画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３３】
１  画像形成装置
２  画像形成部
３  原稿読取部
５  操作パネル（表示部）
６  制御部
１４  押圧板
１６  原稿台
１８  原稿検知センサー（検知手段）
【図１】
2018142877.tif 000003
【図２】
2018142877.tif 000004
【図３】
2018142877.tif 000005
【図４】
2018142877.tif 000006
【図５】
2018142877.tif 000007